【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
配信契機を決定するイベントを監視し、検知した前記イベントを通知するイベント監視装置と、配信データを含む配信要求と配信先リストとを保持し、前記イベント監視装置が通知するイベントを受信すると、前記イベントに合致する配信要求に含まれる配信データを、前記配信先リストを参照して配信する情報配信装置と、前記配信データを受信する手段、および、自アドレスを付して前記情報配信装置に通知する手段を備えた受信端末と、前記配信データの受信者により携帯され、前記受信者の利用者ＩＤを前記受信端末に通知する手段を備えた端末探索装置と、を含んで構成される情報配信システムにおける情報配信装置であって、前記情報配信装置は、前記端末探索装置から前記受信端末に通知された前記受信者の利用者ＩＤ、および、前記自アドレスとしての当該受信端末のアドレスを、前記受信端末から受信する手段と、前記受信した前記受信者の利用者ＩＤと前記受信端末のアドレスを反映して、前記配信先リストを更新する手段を備えることを特徴とする情報配信システムにおける情報配信装置。
【請求項２】
前記情報配信装置は、前記端末探索装置によって検知され、前記端末探索装置から前記受信端末に通知される前記受信者の状況情報を前記受信端末から受信する手段と、前記受信した前記受信者の状況情報の内容を反映して、前記配信先リストを更新する手段を備えることを特徴とする請求項１に記載の情報配信システムにおける情報配信装置。
【請求項３】
前記情報配信装置は、前記受信端末によって検知される前記受信端末の状況情報を前記受信端末から受信する手段と、前記受信した前記受信端末の状況情報の内容を反映して、前記配信先リストを更新する手段を備えることを特徴とする請求項１または請求項２に記載の情報配信システムにおける情報配信装置。
【請求項４】
前記配信先リストは、前記受信端末のアドレスに対応した優先度を含めることを特徴とする請求項１ないし請求項３のいずれか１項に記載の情報配信システムにおける情報配信装置。
【請求項５】
配信契機を決定するイベントを監視し、検知した前記イベントを通知するイベント監視装置と、配信データを含む配信要求と配信先リストとを保持し、前記イベント監視装置が通知するイベントを受信すると、前記イベントに合致する配信要求に含まれる配信データを、前記配信先リストを参照して配信する情報配信装置と、前記配信データを受信する手段、および、自アドレスを付して前記情報配信装置に通知する手段を備えた受信端末と、前記配信データの受信者により携帯され、前記受信者の利用者ＩＤを前記受信端末に通知する手段を備えた端末探索装置と、を含んで構成される情報配信システムを実現する情報配信プログラムであって、前記プログラムは、前記情報配信装置に、前記端末探索装置から前記受信端末に通知された前記受信者の利用者ＩＤ、および、前記自アドレスとしての当該受信端末のアドレスを、前記受信端末から受信させる機能と、前記受信した前記受信者の利用者ＩＤと前記受信端末のアドレスを反映させて、前記配信先リストを更新させる機能を有することを特徴とする情報配信システムを実現する情報配信プログラム。
【請求項６】
利用者の受信状況に応じて動的に情報の配信先を変更する情報配信システムであって、
配信契機を決定するイベントを監視し、検知した前記イベントを通知するイベント監視装置と、
配信データを含む配信要求と配信先リストとを保持し、前記イベント監視装置が通知するイベント受信時、該イベントに合致する配信要求に含まれる配信データを、前記配信リストを参照して配信する情報配信装置と、
前記配信データの受信者によって携帯され、前記受信者の状況情報を検知する手段、および、検知した状況情報に前記受信者の利用者ＩＤを付して前記配信データの受信端末に通知する手段、を備えた端末探索装置と、
当該受信端末の状況情報を検知する手段、および、前記端末探索装置から受信する情報、ならびに、検知した当該受信端末の状況情報と自アドレスを前記情報配信装置に通知する手段、を備えた受信端末と、
を備えることを特徴とする情報配信システム。
【手続補正２】
【補正対象書類名】明細書
【補正対象項目名】００１９
【補正方法】変更
【補正の内容】
【００１９】
また、請求項５に記載の情報配信プログラムは、配信契機を決定するイベントを監視し、検知した前記イベントを通知するイベント監視装置と、配信データを含む配信要求と配信先リストとを保持し、前記イベント監視装置が通知するイベントを受信すると、前記イベントに合致する配信要求に含まれる配信データを、前記配信先リストを参照して配信する情報配信装置と、前記配信データを受信する手段、および、自アドレスを付して前記情報配信装置に通知する手段を備えた受信端末と、前記配信データの受信者により携帯され、前記受信者の利用者ＩＤを前記受信端末に通知する手段を備えた端末探索装置と、を含んで構成される情報配信システムを実現する情報配信プログラムであって、前記プログラムが、前記情報配信装置に、前記端末探索装置から前記受信端末に通知された前記受信者の利用者ＩＤ、および、前記自アドレスとしての当該受信端末のアドレスを、前記受信端末から受信させる機能と、前記受信した前記受信者の利用者ＩＤと前記受信端末のアドレスを反映させて、前記配信先リストを更新させる機能を有することを特徴とする。
【手続補正３】
【補正対象書類名】明細書
【補正対象項目名】００２０
【補正方法】変更
【補正の内容】
【００２０】
かかる構成によれば、配信データの受信者は、受信端末を登録する手間を省くことができる。
【手続補正４】
【補正対象書類名】明細書
【補正対象項目名】００２１
【補正方法】変更
【補正の内容】
【００２１】
さらに、請求項６に記載の情報配信システムは、利用者の受信状況に応じて動的に情報の配信先を変更する情報配信システムであって、
配信契機を決定するイベントを監視し、検知した前記イベントを通知するイベント監視装置と、
配信データを含む配信要求と配信先リストとを保持し、前記イベント監視装置が通知するイベント受信時、該イベントに合致する配信要求に含まれる配信データを、前記配信リストを参照して配信する情報配信装置と、
前記配信データの受信者によって携帯され、前記受信者の状況情報を検知する手段、および、検知した状況情報に前記受信者の利用者ＩＤを付して前記配信データの受信端末に通知する手段、を備えた端末探索装置と、
当該受信端末の状況情報を検知する手段、および、前記端末探索装置から受信する情報、ならびに、検知した当該受信端末の状況情報と自アドレスを前記情報配信装置に通知する手段、を備えた受信端末と、
を備えることを特徴とする。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００７４
【補正方法】変更
【補正の内容】
【００７４】
【発明の効果】
請求項１、請求項５、または、請求項６に記載した発明により、配信データの受信者は、受信端末を登録する手間を省くことができる。その結果、配信データの受信者は、タイミングを逸することなく、効率的に配信データを受信できる。
【手続補正１５】
【補正対象書類名】明細書
【補正対象項目名】００７８
【補正方法】削除
【補正の内容】
【手続補正１６】
【補正対象書類名】明細書
【補正対象項目名】００７９
【補正方法】削除
【補正の内容】
【手続補正１７】
【補正対象書類名】明細書
【補正対象項目名】００８０
【補正方法】削除
【補正の内容】
【手続補正１８】
【補正対象書類名】明細書
【補正対象項目名】００８１
【補正方法】削除
【補正の内容】
【手続補正１９】
【補正対象書類名】明細書
【補正対象項目名】００８２
【補正方法】削除
【補正の内容】
【手続補正２０】
【補正対象書類名】明細書
【補正対象項目名】００８３
【補正方法】削除
【補正の内容】